(57)【要約】【課題】  下キャップと上キャップとが切除可能な破断帯で接続され、下キャップと上キャップとを閉じた状態で成形可能なヒンジキャップにおいて、スパチュラを添付できるヒンジキャップを提供すること。【解決手段】  容器本体Ａの口部２に外挿される下キャップＢと、口部２の開口部４を閉塞する上キャップＣと、下キャップＢと上キャップＣとを連結するヒンジ部Ｄと、下キャップＢと上キャップＣとの間に形成され、端部にレバー連結部２４を有する切除可能な破断帯Ｅと、レバー連結部２４に連結するスパチュラ付きレバーＦとを備えることを特徴とする。【選択図】  図１
2019189287.tif 000002
【特許請求の範囲】
【請求項１】
容器本体の口部に外挿される下キャップと、
口部の開口部を閉塞する上キャップと、
下キャップと上キャップとを連結するヒンジ部と、
下キャップと上キャップとの間に形成され、端部にレバー連結部を有する切除可能な破断帯と、
レバー連結部に連結するスパチュラ付きレバーとを備えることを特徴とするヒンジキャップ。
【請求項２】
破断帯は、ヒンジ部の左右両側に開口された縦スリットを起点および終点として形成されることを特徴とする請求項１に記載のヒンジキャップ。
【請求項３】
破断帯は、ヒンジ部と反対側の半周以上に形成されることを特徴とする請求項１に記載のヒンジキャップ。
【請求項４】
スパチュラ付きレバーは、破断帯を切除する際にスパチュラがレバーから分離されることを特徴とする請求項１〜３のいずれかに記載のヒンジキャップ。
【請求項５】
スパチュラ付きレバーは、スパチュラが上キャップの頂面に保持されることを特徴とする請求項４に記載のヒンジキャップ。
【請求項６】
スパチュラ付きレバーは、破断帯を切除後にスパチュラとレバーとが一体で上キャップに保持できることを特徴とする請求項１〜３のいずれかに記載のヒンジキャップ。
【発明の詳細な説明】
【技術分野】
【０００１】
本発明は、下キャップと上キャップとが切除可能な破断帯で接続されたヒンジキャップに関し、とくに、スパチュラを添付可能なヒンジキャップに関するものである。 
【背景技術】
【０００２】
内容物が取り出し易い広口の容器として、蓋の開閉を容易にするために、ヒンジキャップを装着した容器が使用されている。
従来から、未開封であることを示す切除可能な破断帯（開封バンド）が一体となったヒンジキャップとして、容器本体の口部の外周面に亘って取り付けられる下キャップ（支持リング）にヒンジを介して上キャップ（キャップ本体）が一体に成形され、ヒンジおよびその両側を除く下キャップの周方向に亘って上キャップと下キャップとの間に上記破断帯も配置して射出成形法にて一体に成形したものが知られている。（例えば、特許文献１参照）
【０００３】
この種のヒンジキャップでは、上キャップの下面にインナーリングが設けられており、上キャップで容器本体の開口部を覆う閉蓋時に、インナーリングが開口部の内側に嵌入して密封性を確保するようにしている。
また、上記破断帯は、下キャップと上キャップとの間に位置して下キャップと上キャップとを接続しており、破断帯の一端からむしり取ることで破断帯を切除し、下キャップと上キャップとの接続を断ち、上キャップがヒンジを中心に回動して開蓋することができるようにしている。
【先行技術文献】
【特許文献】
【０００４】
【特許文献１】特開２００９−２８６４５９号公報
【発明の概要】
【発明が解決しようとする課題】
【０００５】
しかしながら、上記特許文献１記載のヒンジキャップでは、内容物が粒ガム等のように手で直接掴むことができる固形物の場合は問題ないが、内容物がフェイスパック等のようにクリーム状であると、内容物を取り出すためにスパチュラと呼ばれるヘラを別に用意する必要があった。
また、上記スパチュラは、使用後に保管しておく必要があるが、上記ヒンジキャップには、スパチュラを固定することができず、スパチュラを紛失するおそれがあるという問題があった。
【０００６】
本発明は、上記問題を解決することを課題とし、下キャップと上キャップとが切除可能な破断帯で接続され、下キャップと上キャップとを閉じた状態で成形可能なヒンジキャップにおいて、スパチュラを添付できるヒンジキャップを提供することを目的とする。
【課題を解決するための手段】
【０００７】
本発明は、上記の課題を解決するため、ヒンジキャップとして、容器本体の口部に外挿される下キャップと、口部の開口部を閉塞する上キャップと、下キャップと上キャップとを連結するヒンジ部と、下キャップと上キャップとの間に形成され、端部にレバー連結部を有する切除可能な破断帯と、レバー連結部に連結するスパチュラ付きレバーとを備えることを特徴とする構成を採用する。
【０００８】
ヒンジキャップの破断帯の実施形態として、破断帯は、ヒンジ部の左右両側に開口された縦スリットを起点および終点として形成されることを特徴とする構成を採用し、また、破断帯は、ヒンジ部と反対側の半周以上に形成されることを特徴とする構成を採用する。
【０００９】
ヒンジキャップのスパチュラ付きレバーの実施形態として、スパチュラ付きレバーは、破断帯を切除する際にスパチュラがレバーから分離されることを特徴とする構成を採用し、また、スパチュラ付きレバーは、スパチュラが上キャップの頂面に保持されることを特徴とする構成を採用し、さらに、スパチュラ付きレバーは、破断帯を切除後にスパチュラとレバーとが一体で上キャップに保持できることを特徴とする構成を採用する。
【発明の効果】
【００１０】
本発明のヒンジキャップでは、下キャップと上キャップとの間に形成され、端部にレバー連結部を有する切除可能な破断帯と、レバー連結部に連結するスパチュラ付きレバーとを備えることにより、スパチュラを必要とする容器にスパチュラを添付することができるとともに、ヒンジキャップの開封時に、破断帯の端部を破断し易くすることができる。
また、本発明のヒンジキャップは、使用後のスパチュラをヒンジキャップに固定することができ、スパチュラの紛失を防止することができる。
【図面の簡単な説明】
【００１１】
【図１】本発明の第１実施例であるヒンジキャップを容器本体に装着した状態を示す斜視図である。
【図２】本発明の第１実施例であるヒンジキャップの分解状態を示す斜視図である。
【図３】本発明の第１実施例であるヒンジキャップにスパチュラ付きレバーを装着する前の状態を示す図であり、（ａ）は側面断面図、（ｂ）は背面図、（ｃ）は（ｂ）のＸ−Ｘ矢視断面図である。
【図４】本発明の第１実施例のスパチュラ付きレバーを示す図であり、（ａ）は上面図、（ｂ）は側面図である。
【図５】本発明の第１実施例であるヒンジキャップを開封する状態を示す図であり、（ａ）は開封前の上面図、（ｂ）は開封開始時の上面図である。
【図６】本発明の第１実施例であるヒンジキャップを開封する状態を示す図であり、（ａ）は開封途中の上面図、（ｂ）は開封途中の斜視図である。
【図７】本発明の第１実施例であるヒンジキャップを開蓋した状態を示す側面断面図である。
【図８】本発明の第２実施例であるヒンジキャップを容器本体に装着した状態を示す斜視図である。
【図９】本発明の第２実施例であるヒンジキャップの分解状態を示す斜視図である。
【図１０】本発明の第２実施例であるヒンジキャップを容器本体に装着した状態を示す図であり、（ａ）は（ｂ）のＹ１−Ｙ１矢視断面図、（ｂ）は背面図である。
【図１１】本発明の第２実施例であるヒンジキャップにスパチュラ付きレバーを装着する前の状態を示す図であり、（ａ）は側面部分断面図、（ｂ）は（ａ）のＹ２−Ｙ２矢視断面図である。
【図１２】本発明の第２実施例であるヒンジキャップにスパチュラ付きレバーを装着する状態を示す図であり、（ａ）は装着開始時の断面図、（ｂ）は（ｃ）のＹ３−Ｙ３矢視断面図、（ｃ）は装着後の側面図である。
【図１３】本発明の第２実施例であるヒンジキャップを開封する状態を示す図であり、（ａ）は開封途中の横断面図、（ｂ）は開封後の側面図である。
【図１４】本発明の第２実施例であるヒンジキャップの開封後にスパチュラ付きレバーを固定した状態を示す側面部分断面図である。
【発明を実施するための形態】
【００１２】
本発明の実施形態について、実施例を示した図面を参照して説明する。
なお、以下の説明において、図１（ａ）でみて、左下方向を「後（背面）」とし、右上方向を「前（正面）」とし、上方向を「上」とし、下方向を「下」とする。
【実施例１】
【００１３】
図１および図２において、Ａは容器本体、Ｂは容器本体Ａの口部２に外挿される下キャップ、Ｃは口部２の開口部４を閉塞する上キャップ、Ｄは下キャップＢと上キャップＣとを連結するヒンジ部、Ｅは下キャップＢと上キャップＣとの間に形成される切除可能な破断帯、Ｆは破断帯Ｅの端部に装着されるスパチュラ付きレバーである。
【００１４】
図３（ａ）に示すように、容器本体Ａは、円筒状の胴部１の上部に口部２を備え、口部２の縮径されたくびれ部３の内周には、開口部４が形成され、くびれ部３の上部外周には、蓋係合部５が形成され、さらに、くびれ部３の下部外周には、係止突条６が形成されている。
とくに、スパチュラを使用して内容物を取り出す容器として使用する場合は、取り出し口である開口部４を広く設定することが好ましい。
【００１５】
図２および図３に示すように、下キャップＢは、円筒状の外筒壁８を備え、外筒壁８の下キャップ下端９は、全周にわたって水平に形成されている。
また、外筒壁８の下キャップ上端１０は、下キャップ下端９と同様に、周方向に水平に形成され、下キャップ上端１０の背面側には、後述するヒンジ部Ｄが連設されている。
外筒壁８の内周面上部に、容器本体Ａの口部２に形成された係止突条６と嵌合する嵌合突条１１が周方向に形成されている。
【００１６】
上キャップＣは、天面を形成する平面視で円形状の頂壁１３と、頂壁１３の周縁から垂設される側周壁１４と、頂壁１３の正面側の上面に立設され、後述するスパチュラ３３を保持する嵌合突起１５と、頂壁１３の下面から垂設され、閉蓋時に外周が容器本体Ａの開口部４を密封するインナーリング１６とを備えている。
インナーリング１６は、図３（ａ）および図７に示すように、背面側のヒンジ部Ｄ側の方が正面側よりも長く形成されている。
【００１７】
側周壁１４の上キャップ下端１７は、周方向に水平に形成され、上キャップ下端１７の背面側には、後述するヒンジ部Ｄが連設されている。
また、側周壁１４は、内周下部に、閉蓋時に容器本体Ａの蓋係合部５と嵌合し、閉蓋状態を維持する係合凸部１８が設けられ、さらに、ヒンジ部Ｄと反対側の正面側外周下部に、開蓋時に指先を掛けるための平面視でフランジ状の把手部１９が突設されている。
【００１８】
図３に示すように、ヒンジ部Ｄは、下キャップＢの背面側の下キャップ上端１０から上キャップＣの上キャップ下端１７にわたって薄肉の一体型ヒンジとして形成されている。
本実施例では、ヒンジ部Ｄは、下キャップＢの外筒壁８や上キャップＣの側周壁１４よりも薄く形成された矩形状の薄肉帯部２１としている。
【００１９】
図３（ｂ）に示すように、破断帯Ｅは、ヒンジ部Ｄの薄肉帯部２１の左右両側に形成された２箇所の縦スリット２３を起点および終点として、薄肉帯部２１および縦スリット２３を除外して周方向に形成されている。
破断帯Ｅは、周方向端部の一方にレバー連結部２４が形成され、上辺２５は、上キャップＣの側周壁１４の上キャップ下端１７と破断可能な薄肉の上弱化部２６を介して接続されるとともに、下辺２７は、下キャップＢの外筒壁８の下キャップ上端１０と破断可能な薄肉の下弱化部２８を介して接続されている。
また、レバー連結部２４には、後述するスパチュラ付きレバーＦを装着する差し込み孔２９が形成されている。
【００２０】
図１、図２および図４に示すように、スパチュラ付きレバーＦは、破断帯Ｅの外周面に沿って円弧状に形成されるレバー３１と、レバー３１と破断可能なブリッジ３２ａおよび３２ｂを介して接続され、上キャップＣの頂壁１３の上面に沿って水平に形成されるスパチュラ３３とから構成されている。
【００２１】
レバー３１は、一端部に形成され、破断帯Ｅのレバー連結部２４と当接する当接壁３４と、他端部に形成され、ヒンジキャップの開封時に指を掛ける指掛け部３５と、当接壁３４の近傍に形成され、レバー連結部２４の差し込み孔２９に挿入される差し込み爪３６と、指掛け部３５寄りに形成され、上キャップＣの頂壁１３の上面に沿って延設される張り出し壁３７とを備える。
スパチュラ３３は、端部に形成され、上キャップＣの嵌合突起１５に保持される嵌入孔３８と、端面に形成される凹部３９とを備える。
【００２２】
つぎに、本実施例の使用態様と作用効果について説明する。
本実施例のヒンジキャップは、図３に示すように、閉蓋状態のままで一体成形により製造される。
【００２３】
つぎに、本実施例のヒンジキャップを容器本体Ａに装着するには、ヒンジキャップを構成する下キャップＢの下キャップ下端９を内容物が充填された容器本体Ａの口部２の上面に当てがい、ヒンジキャップの上キャップＣの頂壁１３を押圧していく。
すると、外筒壁８の嵌合突条１１が口部２の蓋係合部５を乗り越え、さらに、ヒンジキャップが下降していくと、嵌合突条１１が口部２の係止突条６を乗り越えて係止突条６と嵌合することにより、ヒンジキャップの容器本体Ａへの装着が完了する。
【００２４】
つぎに、スパチュラ付きレバーＦをヒンジキャップに装着するには、図２に示す状態から、スパチュラ付きレバーＦの差し込み爪３６を破断帯Ｅの差し込み孔２９に側方から差し込むとともに、スパチュラ付きレバーＦの嵌入孔３８を上キャップＣの嵌合突起１５に上方から嵌合させ、図１に示す状態にすることにより、ヒンジキャップへのスパチュラ付きレバーＦの装着が完了する。
【００２５】
本実施例のヒンジキャップが装着された容器を最初に使用するには、図１および図５（ａ）に示す状態から、スパチュラ付きレバーＦの指掛け部３５を掴んで、図５（ｂ）に示す矢印方向へ当接壁３４を支点に外方に引き離すと、テコの原理で張り出し壁３７とスパチュラ３３とを連結するブリッジ３２ｂと、ブリッジ３２ａとが順に破断するとともに、破断帯Ｅのレバー連結部２４付近の上弱化部２６および下弱化部２８が破断して図６（ａ）に示す状態になる。
さらに、破断帯Ｅを図６（ｂ）で図示された矢印の方向に従ってむしり取ると、上弱化部２６および下弱化部２８は、他端の縦スリット２３まで破断され、ヒンジキャップは、破断帯Ｅが切除され、下キャップＢと上キャップＣとの接続状態が解消される。
【００２６】
つぎに、上キャップＣの把手部１９を持ち上げ、ヒンジ部Ｄを中心に上キャップＣを回動していくと、ヒンジ部Ｄは、薄肉帯部２１が弾性変形し、図７に示すように、上キャップＣのインナーリング１６の外周が容器本体Ａの口部２の上端に当接し、ヒンジ部Ｄは、上キャップＣが約９０°開いた状態を維持することができる。
このように、破断帯Ｅは、上弱化部２６および下弱化部２８がヒンジ部Ｄの左右両側に形成される縦スリット２３まで広範囲に形成されているので、最初に上キャップＣを開蓋する際に、弱い力で開けることができる。
【００２７】
上キャップＣが開蓋した状態で、容器本体Ａの口部２の開口部４が露出する。
つぎに、上キャップＣの頂壁１３に保持されたスパチュラ３３を取り外すには、スパチュラ３３の凹部３９に指を掛けてスパチュラ３３を上キャップＣから離脱させればよく、開口部４が露出された容器本体Ａから、容器内に充填された内容物は、スパチュラ３３によって必要な量を取り出すことができる。
【００２８】
使用後は、上キャップＣをヒンジ部Ｄを中心に回動して、係合凸部１８を口部２の蓋係合部５に嵌合すれば再び閉蓋状態となり、このとき、インナーリング１６の外周が開口部４に係合して、容器本体Ａ内を密封する。
さらに、使用後のスパチュラ３３は、付着した内容物を除去した後、再び上キャップＣの頂壁１３の嵌合突起１５に嵌入孔３８を嵌合することにより、スパチュラ３３を別に保管する必要がない。
このように、ヒンジキャップから必要に応じて、スパチュラ３３を取り外して使用することができるので、スパチュラ３３を紛失するおそれがない。
【実施例２】
【００２９】
つぎに、第１実施例のスパチュラ付きレバーＦ等の構成を変更した第２実施例について、図８〜１４を参照して説明する。
以下、第１実施例と同一の構成部分には同一の符号を付し、変更部分に新たな符号を付し、相違点を中心に説明する。
【００３０】
図８および図９において、Ａは容器本体、Ｂａは容器本体Ａの口部２に外挿される下キャップ、Ｃａは口部２の開口部４を閉塞する上キャップ、Ｄは下キャップＢａと上キャップＣａとを連結するヒンジ部、Ｅａは下キャップＢａと上キャップＣａとの間に形成される切除可能な破断帯、Ｆａは破断帯Ｅａの端部に装着されるスパチュラ付きレバーである。
【００３１】
図１０および図１１に示すように、下キャップＢａは、円筒状の外筒壁４１を備え、外筒壁４１の下キャップ下端４２は、全周にわたって水平に形成されている。
また、外筒壁４１の下キャップ上端４３は、ヒンジ部Ｄと反対側の正面側（前方）の半周が後述する破断帯Ｅａの高さだけ一段低い低壁部４３ａが水平に形成され、外筒壁４１の背面側の略半周には、低壁部４３ａから立ち上がり部４４を経て、ヒンジ部Ｄが形成される部分を除き破断帯Ｅａの上辺５０と同じ高さの高壁部４３ｂが水平に形成されている。
【００３２】
さらに、外筒壁４１の背面は、ヒンジ部Ｄの両側に縦スリット４５形成され、両縦スリット４５の間は、正面側と同様に、低壁部４３ａが水平に形成されている。
外筒壁４１の内周面に、容器本体Ａの口部２に形成された係止突条６と嵌合する嵌合突条４６が周方向に形成されている。
【００３３】
上キャップＣａは、天面を形成する頂壁１３と、頂壁１３の周縁から垂設される側周壁１４と、頂壁１３の下面から垂設され、閉蓋時に外周が容器本体Ａの開口部４を密封するインナーリング１６とを備えている。
側周壁１４の上キャップ下端１７は、周方向に水平に形成され、上キャップ下端１７の背面側には、ヒンジ部Ｄが連設されている。
また、側周壁１４は、内周下部に、閉蓋時に容器本体Ａの蓋係合部５と嵌合し、閉蓋状態を維持する係合凸部１８が設けられ、さらに、ヒンジ部Ｄと反対側の正面側外周下部に、開蓋時に指先を掛けるための把手部１９が突設されている。
【００３４】
図１１に示すように、破断帯Ｅａは、下キャップＢａと上キャップＣａとの間の正面側の半周に形成された２箇所の帯端部４８を起点および終点として、周方向に形成されている。
破断帯Ｅａは、帯端部４８の一方に、後述するスパチュラ付きレバーＦａを装着するためのレバー連結部４９が形成され、上辺５０は、上キャップＣａの側周壁１４の上キャップ下端１７と破断可能な薄肉の上弱化部５１を介して接続されるとともに、下辺５２は、下キャップＢａの外筒壁４１の下キャップ上端４３の低壁部４３ａと破断可能な薄肉の下弱化部５３を介して接続されている。
レバー連結部４９は、帯端部４８から立設される係合脚５４と、係合脚５４の先端に設けられ、係合脚５４と直交する方向に形成される挟持板５５と、挟持板５５の表面に形成される突片５６とを備えている。
【００３５】
図８〜図１０に示すように、スパチュラ付きレバーＦａは、破断帯Ｅａの外周面に沿って円弧状に形成されるレバー５８と、レバー５８の下部から垂下され、容器本体Ａの胴部１に沿って形成されるスパチュラ５９とから構成されている。
レバー５８は、一端部に形成され、ヒンジキャップの開封時に指を掛ける指掛け部６０と、上部に形成され、上キャップＣａの把手部１９に嵌合可能な第１開口６１と、第１開口６１の下方に形成され、レバー連結部４９と係合可能な第２開口６２と、第２開口６２内に形成され、レバー連結部４９の係合脚５４と係合する中爪６３とを備える。
【００３６】
つぎに、本実施例の使用態様と作用効果について説明する。
本実施例のヒンジキャップは、図１１に示すように、閉蓋状態のままで一体成形により製造される。
【００３７】
つぎに、本実施例のヒンジキャップを容器本体Ａに装着するには、ヒンジキャップを構成する下キャップＢａの下キャップ下端４２を内容物が充填された容器本体Ａの口部２の上面に当てがい、ヒンジキャップの上キャップＣａの頂壁１３を押圧していく。
すると、外筒壁４１の嵌合突条４６が口部２の蓋係合部５を乗り越え、さらに、ヒンジキャップが下降していくと、嵌合突条４６が口部２の係止突条６を乗り越えて係止突条６と嵌合することにより、ヒンジキャップの容器本体Ａへの装着が完了する。
【００３８】
つぎに、スパチュラ付きレバーＦａをヒンジキャップに装着するには、スパチュラ付きレバーＦａの第２開口６２を破断帯Ｅａのレバー連結部４９に嵌め込み、図１２（ａ）に示す状態から、スパチュラ付きレバーＦａのレバー５８を矢印方向にスライドすることにより、レバー連結部４９の係合脚５４がレバー５８の中爪６３を乗り越え、図１２（ｂ）（ｃ）に示す状態にすることにより、ヒンジキャップへのスパチュラ付きレバーＦａの装着が完了する。
【００３９】
本実施例のヒンジキャップが装着された容器を最初に使用するには、図８および図１２（ｂ）に示す状態から、スパチュラ付きレバーＦａのレバー５８の一端部である指掛け部６０を掴んで、図１３（ａ）に示す矢印方向へレバー５８の他端部を支点に外方に引き離すと、テコの原理で破断帯Ｅａの帯端部４８付近の上弱化部５１および下弱化部５３が破断して図１３（ａ）に示す状態になる。
さらに、破断帯Ｅａを周方向に従ってむしり取ると、上弱化部５１および下弱化部５３は、他端の帯端部４８まで破断され、図１３（ｂ）に示すように、ヒンジキャップは、破断帯Ｅａが切除され、下キャップＢａと上キャップＣａとの接続状態が解消される。
【００４０】
つぎに、上キャップＣａの把手部１９を持ち上げると、上キャップＣａの上キャップ下端１７と下キャップＢａの下キャップ上端４３の高壁部４３ｂとを接続する上弱化部５１が立ち上がり部４４を起点に破断し、ヒンジ部Ｄを中心に上キャップＣａを回動していくと、ヒンジ部Ｄは、弾性変形し、第１実施例（図７参照）と同様に、上キャップＣａのインナーリング１６の外周が容器本体Ａの口部２の上端に当接し、ヒンジ部Ｄは、上キャップＣａが約９０°開いた状態を維持することができる。
【００４１】
上キャップＣａが開蓋した状態で、容器本体Ａの口部２の開口部４が露出する。
つぎに、破断された破断帯Ｅａのレバー連結部４９からスパチュラ付きレバーＦａを取り外すには、レバー連結部４９の突片５６を摘んで挟持板５５を装着と逆方向にスライドすることにより、レバー連結部４９に保持されたスパチュラ付きレバーＦａを離脱すればよく、開口部４が露出された容器本体Ａから、容器内に充填された内容物は、スパチュラ５９によって必要な量を取り出すことができる。
【００４２】
使用後は、上キャップＣａをヒンジ部Ｄを中心に回動して、係合凸部１８を口部２の蓋係合部５に嵌合すれば再び閉蓋状態となり、このとき、インナーリング１６の外周が開口部４に係合して、容器本体Ａ内を密封する。
さらに、使用後のスパチュラ付きレバーＦａは、スパチュラ５９から付着した内容物を除去した後、上キャップＣａの把手部１９に第１開口６１を差し込むことにより、スパチュラ５９は、別に保管する必要がない。
このように、ヒンジキャップから必要に応じて、スパチュラ付きレバーＦａを取り外して使用することができるので、スパチュラ付きレバーＦａを紛失するおそれがない。
【産業上の利用可能性】
【００４３】
本発明のヒンジキャップは、スパチュラ付きレバーをヒンジキャップに装着することができるので、内容物の取り出しにスパチュラが必要なクリーム状の内容物を収納する容器のヒンジキャップとして広く利用することができる。
【符号の説明】
【００４４】
Ａ            容器本体
Ｂ、Ｂａ      下キャップ
Ｃ、Ｃａ      上キャップ
Ｄ            ヒンジ部
Ｅ、Ｅａ      破断帯
Ｆ、Ｆａ      スパチュラ付きレバー
１            胴部
２            口部
３            くびれ部
４            開口部
５            蓋係合部
６            係止突条
８、４１      外筒壁
９、４２      下キャップ下端
１０、４３      下キャップ上端
１１、４６      嵌合突条
１３            頂壁
１４            側周壁
１５            嵌合突起
１６            インナーリング
１７            上キャップ下端
１８            係合凸部
１９            把手部
２１            薄肉帯部
２３、４５      縦スリット
２４、４９      レバー連結部
２５、５０      上辺
２６、５１      上弱化部
２７、５２      下辺
２８、５３      下弱化部
２９            差し込み孔
３１、５８      レバー
３２ａ，３２ｂ  ブリッジ
３３、５９      スパチュラ
３４            当接壁
３５、６０      指掛け部
３６            差し込み爪
３７            張り出し壁
３８            嵌入孔
３９            凹部
４３ａ          低壁部
４３ｂ          高壁部
４４            立ち上がり部
４８            帯端部
５４            係合脚
５５            挟持板
５６            突片
６１            第１開口
６２            第２開口
６３            中爪
【図１】
2019189287.tif 000003
【図２】
2019189287.tif 000004
【図３】
2019189287.tif 000005
【図４】
2019189287.tif 000006
【図５】
2019189287.tif 000007
【図６】
2019189287.tif 000008
【図７】
2019189287.tif 000009
【図８】
2019189287.tif 000010
【図９】
2019189287.tif 000011
【図１０】
2019189287.tif 000012
【図１１】
2019189287.tif 000013
【図１２】
2019189287.tif 000014
【図１３】
2019189287.tif 000015
【図１４】
2019189287.tif 000016